【手続補正書】
【提出日】平成17年8月2日(2005.8.2)
【手続補正１】
【補正対象書類名】明細書
【補正対象項目名】特許請求の範囲
【補正方法】変更
【補正の内容】
【特許請求の範囲】
【請求項１】
音声と映像を同時に記録可能な記録装置であって、
入力された音声信号を記憶する音声記憶手段と、記録時に前記音声記憶手段に記憶した音声信号を任意の時刻から読み出す制御手段と、前記制御手段によって前記音声記憶手段から読み出された音声信号及び入力された映像信号を記録媒体に記録する記録手段とを有することを特徴とする記録装置。
【請求項２】
音声信号を入力する音声入力手段と、映像信号を入力する映像入力手段とを有し、前記音声記憶手段は、前記音声入力手段から入力された音声信号を記憶し、前記記録手段は、前記音声記憶手段の音声信号及び前記映像入力手段から入力された映像信号を記録媒体に記録することを特徴とする請求項１記載の記録装置。
【請求項３】
前記記録手段は、前記制御手段が記録時に前記音声記憶手段に記憶した音声信号を任意の時刻から読み出す制御に基づき、映像取り込み時刻より所定時間さかのぼった時刻からの音声信号、或いは映像取り込み時刻からの音声信号を記録することを特徴とする請求項１又は２記載の記録装置。
【請求項４】
前記記録手段は、静止画及び動画の両方の記録モードを有することを特徴とする請求項１乃至３の何れかに記載の記録装置。
【請求項５】
前記記録手段は、静止画のみの記録モードを有することを特徴とする請求項１乃至３の何れかに記載の記録装置。
【請求項６】
前記音声記憶手段の記憶時間は、前記記録手段が静止画を記録する時間以上に設定されていることを特徴とする請求項１乃至５の何れかに記載の記録装置。
【請求項７】
前記音声記憶手段の音声信号を所望時刻から読み出すことを指示する時刻設定手段と、該時刻設定手段による設定状態を示す表示手段とを有し、前記制御手段は、前記時刻設定手段による設定に基づき前記音声記憶手段の音声信号を所望時刻から読み出すと共に、前記時刻設定手段による設定状態を前記表示手段に表示することを特徴とする請求項１乃至６の何れかに記載の記録装置。
【請求項８】
前記表示手段は、装置本体に装備されている記録対象映像確認用のビューファインダであることを特徴とする請求項７記載の記録装置。
【請求項９】
前記時刻設定手段は、装置本体に装備されているズームキーや他のキーと兼用されることを特徴とする請求項７記載の記録装置。
【請求項１０】
警告を出力する警告手段を有し、前記制御手段は、前記時刻設定手段による設定値が前記音声記憶手段の書き込み量を超えた設定の場合に前記警告手段から警告を出力させることを特徴とする請求項７乃至９の何れかに記載の記録装置。
【請求項１１】
前記制御手段は、前記時刻設定手段による設定値が前記音声記憶手段の書き込み量を超えた設定の場合に前記設定値を強制的に前記音声記憶手段の書き込み量に変更することを特徴とする請求項７乃至９の何れかに記載の記録装置。
【請求項１２】
前記音声入力手段は、音波を電気信号に変換するセンサを有することを特徴とする請求項１乃至１１の何れかに記載の記録装置。
【請求項１３】
前記映像入力手段は、映像情報を電気信号に変換するセンサを有することを特徴とする請求項１乃至１２の何れかに記載の記録装置。
【請求項１４】
音声と映像を同時に記録可能な記録再生装置であって、
入力された音声信号を記憶する音声記憶手段と、記録時に前記音声記憶手段に記憶した音声信号を任意の時刻から読み出す制御手段と、前記制御手段によって前記音声記憶手段から読み出された音声信号及び入力された映像信号を記録媒体に記録する記録手段と、前記記録媒体から信号を再生する再生手段とを有することを特徴とする記録再生装置。
【請求項１５】
音声と映像を同時に記録可能な記録装置或いは記録再生装置に適用される音声情報記録方法であって、
入力された音声信号を音声記憶手段に記憶する音声記憶ステップと、記録時に前記音声記憶手段に記憶した音声信号を任意の時刻から読み出す制御ステップと、前記制御ステップによって前記音声記憶手段から読み出された音声信号及び入力された映像信号を記録媒体に記録する記録ステップとを有することを特徴とする音声情報記録方法。
【請求項１６】
音声と映像を同時に記録可能な記録装置或いは記録再生装置に適用される音声情報記録方法を実行するプログラムを記憶したコンピュータにより読み出し可能な記憶媒体であって、
前記音声情報記録方法は、入力された音声信号を音声記憶手段に記憶する音声記憶ステップと、記録時に前記音声記憶手段に記憶した音声信号を任意の時刻から読み出す制御ステップと、前記制御ステップによって前記音声記憶手段から読み出された音声信号及び入力された映像信号を記録媒体に記録する記録ステップとを有することを特徴とする記憶媒体。
【手続補正２】
【補正対象書類名】明細書
【補正対象項目名】００１２
【補正方法】変更
【補正の内容】
【００１２】
【課題を解決するための手段】
上記目的を達成するために、請求項１記載の本発明は、音声と映像を同時に記録可能な記録装置であって、入力された音声信号を記憶する音声記憶手段と、記録時に前記音声記憶手段に記憶した音声信号を任意の時刻から読み出す制御手段と、前記制御手段によって前記音声記憶手段から読み出された音声信号及び入力された映像信号を記録媒体に記録する記録手段とを有することを特徴とする。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
上記目的を達成するために、請求項９記載の本発明は、前記時刻設定手段は、装置本体に装備されているズームキーや他のキーと兼用されることを特徴とする。
【手続補正５】
【補正対象書類名】明細書
【補正対象項目名】００２２
【補正方法】変更
【補正の内容】
【００２２】
上記目的を達成するために、請求項１０記載の本発明は、警告を出力する警告手段を有し、前記制御手段は、前記時刻設定手段による設定値が前記音声記憶手段の書き込み量を超えた設定の場合に前記警告手段から警告を出力させることを特徴とする。
【手続補正６】
【補正対象書類名】明細書
【補正対象項目名】００２３
【補正方法】変更
【補正の内容】
【００２３】
上記目的を達成するために、請求項１１記載の本発明は、前記制御手段は、前記時刻設定手段による設定値が前記音声記憶手段の書き込み量を超えた設定の場合に前記設定値を強制的に前記音声記憶手段の書き込み量に変更することを特徴とする。
【手続補正７】
【補正対象書類名】明細書
【補正対象項目名】００２４
【補正方法】変更
【補正の内容】
【００２４】
上記目的を達成するために、請求項１２記載の本発明は、前記音声入力手段は、音波を電気信号に変換するセンサを有することを特徴とする。
【手続補正８】
【補正対象書類名】明細書
【補正対象項目名】００２５
【補正方法】変更
【補正の内容】
【００２５】
上記目的を達成するために、請求項１３記載の本発明は、前記映像入力手段は、映像情報を電気信号に変換するセンサを有することを特徴とする。
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】変更
【補正の内容】
【００２７】
上記目的を達成するために、請求項１４記載の本発明は、音声と映像を同時に記録可能な記録再生装置であって、入力された音声信号を記憶する音声記憶手段と、記録時に前記音声記憶手段に記憶した音声信号を任意の時刻から読み出す制御手段と、前記制御手段によって前記音声記憶手段から読み出された音声信号及び入力された映像信号を記録媒体に記録する記録手段と、前記記録媒体から信号を再生する再生手段とを有することを特徴とする。
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】
【手続補正２４】
【補正対象書類名】明細書
【補正対象項目名】００４１
【補正方法】削除
【補正の内容】
【手続補正２５】
【補正対象書類名】明細書
【補正対象項目名】００４２
【補正方法】変更
【補正の内容】
【００４２】
上記目的を達成するために、請求項１５記載の本発明は、音声と映像を同時に記録可能な記録装置或いは記録再生装置に適用される音声情報記録方法であって、入力された音声信号を音声記憶手段に記憶する音声記憶ステップと、記録時に前記音声記憶手段に記憶した音声信号を任意の時刻から読み出す制御ステップと、前記制御ステップによって前記音声記憶手段から読み出された音声信号及び入力された映像信号を記録媒体に記録する記録ステップとを有することを特徴とする。
【手続補正２６】
【補正対象書類名】明細書
【補正対象項目名】００４３
【補正方法】削除
【補正の内容】
【手続補正２７】
【補正対象書類名】明細書
【補正対象項目名】００４４
【補正方法】削除
【補正の内容】
【手続補正２８】
【補正対象書類名】明細書
【補正対象項目名】００４５
【補正方法】削除
【補正の内容】
【手続補正２９】
【補正対象書類名】明細書
【補正対象項目名】００４６
【補正方法】削除
【補正の内容】
【手続補正３０】
【補正対象書類名】明細書
【補正対象項目名】００４７
【補正方法】削除
【補正の内容】
【手続補正３１】
【補正対象書類名】明細書
【補正対象項目名】００４８
【補正方法】削除
【補正の内容】
【手続補正３２】
【補正対象書類名】明細書
【補正対象項目名】００４９
【補正方法】削除
【補正の内容】
【手続補正３３】
【補正対象書類名】明細書
【補正対象項目名】００５０
【補正方法】削除
【補正の内容】
【手続補正３４】
【補正対象書類名】明細書
【補正対象項目名】００５１
【補正方法】削除
【補正の内容】
【手続補正３５】
【補正対象書類名】明細書
【補正対象項目名】００５２
【補正方法】削除
【補正の内容】
【手続補正３６】
【補正対象書類名】明細書
【補正対象項目名】００５３
【補正方法】削除
【補正の内容】
【手続補正３７】
【補正対象書類名】明細書
【補正対象項目名】００５４
【補正方法】削除
【補正の内容】
【手続補正３８】
【補正対象書類名】明細書
【補正対象項目名】００５５
【補正方法】削除
【補正の内容】
【手続補正３９】
【補正対象書類名】明細書
【補正対象項目名】００５６
【補正方法】削除
【補正の内容】
【手続補正４０】
【補正対象書類名】明細書
【補正対象項目名】００５７
【補正方法】変更
【補正の内容】
【００５７】
上記目的を達成するために、請求項１６記載の本発明は、音声と映像を同時に記録可能な記録装置或いは記録再生装置に適用される音声情報記録方法を実行するプログラムを記憶したコンピュータにより読み出し可能な記憶媒体であって、前記音声情報記録方法は、入力された音声信号を音声記憶手段に記憶する音声記憶ステップと、記録時に前記音声記憶手段に記憶した音声信号を任意の時刻から読み出す制御ステップと、前記制御ステップによって前記音声記憶手段から読み出された音声信号及び入力された映像信号を記録媒体に記録する記録ステップとを有することを特徴とする。
【手続補正４１】
【補正対象書類名】明細書
【補正対象項目名】００９６
【補正方法】変更
【補正の内容】
【００９６】
【発明の効果】
以上説明したように、請求項１記載の本発明の記録装置によれば、音声と映像を同時に記録可能な記録装置であって、入力された音声信号を記憶する音声記憶手段と、記録時に前記音声記憶手段に記憶した音声信号を任意の時刻から読み出す制御手段と、前記制御手段によって前記音声記憶手段から読み出された音声信号及び入力された映像信号を記録媒体に記録する記録手段とを有するため、次のような効果がある。使用者は映像取り込み時刻（シャッタ時刻）に対して、最大で記録時間分だけさかのぼった時刻からの過去の音声情報を記録することや、シャッタ時刻前後の音声情報の記録が可能となる効果がある。そのことは、シャッタ時刻前の撮影の様子を音声情報で得ることによって、記録された映像がどういう状況の結果撮影されたかを知ることが可能となり、その映像の楽しみ方の拡大につながるという効果がある。
【手続補正４２】
【補正対象書類名】明細書
【補正対象項目名】０１０４
【補正方法】削除
【補正の内容】
【手続補正４３】
【補正対象書類名】明細書
【補正対象項目名】０１０５
【補正方法】変更
【補正の内容】
【０１０５】
請求項９記載の本発明の記録装置によれば、前記時刻設定手段は、装置本体に装備されているズームキーや他のキーと兼用されるため、次のような効果がある。音声記憶手段に記憶した音声信号を所望時刻から読み出す指示を行うための時刻設定手段を、装置本体に装備されているズームキーや他のキーと兼用することで、大幅なコストアップを伴うこともないという効果がある。
【手続補正４４】
【補正対象書類名】明細書
【補正対象項目名】０１０６
【補正方法】変更
【補正の内容】
【０１０６】
請求項１０記載の本発明の記録装置によれば、警告を出力する警告手段を有し、前記制御手段は、前記時刻設定手段による設定値が前記音声記憶手段の書き込み量を超えた設定の場合に前記警告手段から警告を出力させるため、次のような効果がある。使用者の設定と音声記憶手段の状態から警告または禁止の動作を行い、実動作での誤動作を未然に防ぐことができるという効果がある。
【手続補正４５】
【補正対象書類名】明細書
【補正対象項目名】０１０７
【補正方法】変更
【補正の内容】
【０１０７】
請求項１１記載の本発明の記録装置によれば、前記制御手段は、前記時刻設定手段による設定値が前記音声記憶手段の書き込み量を超えた設定の場合に前記設定値を強制的に前記音声記憶手段の書き込み量に変更するため、次のような効果がある。設定時間を強制的に音声記憶手段の記憶時間に変更し、映像信号の取り込みを優先することで、いわゆるシャッタチャンスを逃さないようにすることが可能となる効果がある。
【手続補正４６】
【補正対象書類名】明細書
【補正対象項目名】０１０８
【補正方法】変更
【補正の内容】
【０１０８】
請求項１２記載の本発明の記録装置によれば、前記音声入力手段は、音波を電気信号に変換するセンサを有するため、次のような効果がある。上記と同様に、使用者は映像取り込み時刻（シャッタ時刻）に対して、最大で記録時間分だけさかのぼった時刻からの過去の音声情報を記録することや、シャッタ時刻前後の音声情報の記録が可能となるなどの上記各種の効果がある。
【手続補正４７】
【補正対象書類名】明細書
【補正対象項目名】０１０９
【補正方法】変更
【補正の内容】
【０１０９】
請求項１３記載の本発明の記録装置によれば、前記映像入力手段は、映像情報を電気信号に変換するセンサを有するため、次のような効果がある。上記と同様に、使用者は映像取り込み時刻（シャッタ時刻）に対して、最大で記録時間分だけさかのぼった時刻からの過去の音声情報を記録することや、シャッタ時刻前後の音声情報の記録が可能となるなどの上記各種の効果がある。
【手続補正４８】
【補正対象書類名】明細書
【補正対象項目名】０１１０
【補正方法】削除
【補正の内容】
【手続補正４９】
【補正対象書類名】明細書
【補正対象項目名】０１１１
【補正方法】変更
【補正の内容】
【０１１１】
請求項１４記載の本発明の記録再生装置によれば、音声と映像を同時に記録可能な記録再生装置であって、入力された音声信号を記憶する音声記憶手段と、記録時に前記音声記憶手段に記憶した音声信号を任意の時刻から読み出す制御手段と、前記制御手段によって前記音声記憶手段から読み出された音声信号及び入力された映像信号を記録媒体に記録する記録手段と、前記記録媒体から信号を再生する再生手段とを有するため、次のような効果がある。使用者は映像取り込み時刻（シャッタ時刻）に対して、最大で記録時間分だけさかのぼった時刻からの過去の音声情報を記録することや、シャッタ時刻前後の音声情報の記録が可能となる効果がある。そのことは、シャッタ時刻前の撮影の様子を音声情報で得ることによって、記録された映像がどういう状況の結果撮影されたかを知ることが可能となり、その映像の楽しみ方の拡大につながるという効果がある。
【手続補正５０】
【補正対象書類名】明細書
【補正対象項目名】０１１２
【補正方法】削除
【補正の内容】
【手続補正５１】
【補正対象書類名】明細書
【補正対象項目名】０１１３
【補正方法】削除
【補正の内容】
【手続補正５２】
【補正対象書類名】明細書
【補正対象項目名】０１１４
【補正方法】削除
【補正の内容】
【手続補正５３】
【補正対象書類名】明細書
【補正対象項目名】０１１５
【補正方法】削除
【補正の内容】
【手続補正５４】
【補正対象書類名】明細書
【補正対象項目名】０１１６
【補正方法】削除
【補正の内容】
【手続補正５５】
【補正対象書類名】明細書
【補正対象項目名】０１１７
【補正方法】削除
【補正の内容】
【手続補正５６】
【補正対象書類名】明細書
【補正対象項目名】０１１８
【補正方法】削除
【補正の内容】
【手続補正５７】
【補正対象書類名】明細書
【補正対象項目名】０１１９
【補正方法】削除
【補正の内容】
【手続補正５８】
【補正対象書類名】明細書
【補正対象項目名】０１２０
【補正方法】削除
【補正の内容】
【手続補正５９】
【補正対象書類名】明細書
【補正対象項目名】０１２１
【補正方法】削除
【補正の内容】
【手続補正６０】
【補正対象書類名】明細書
【補正対象項目名】０１２２
【補正方法】削除
【補正の内容】
【手続補正６１】
【補正対象書類名】明細書
【補正対象項目名】０１２３
【補正方法】削除
【補正の内容】
【手続補正６２】
【補正対象書類名】明細書
【補正対象項目名】０１２４
【補正方法】削除
【補正の内容】
【手続補正６３】
【補正対象書類名】明細書
【補正対象項目名】０１２５
【補正方法】削除
【補正の内容】
【手続補正６４】
【補正対象書類名】明細書
【補正対象項目名】０１２６
【補正方法】変更
【補正の内容】
【０１２６】
請求項１５記載の本発明の音声情報記録方法によれば、音声と映像を同時に記録可能な記録装置或いは記録再生装置に適用される音声情報記録方法であって、入力された音声信号を音声記憶手段に記憶する音声記憶ステップと、記録時に前記音声記憶手段に記憶した音声信号を任意の時刻から読み出す制御ステップと、前記制御ステップによって前記音声記憶手段から読み出された音声信号及び入力された映像信号を記録媒体に記録する記録ステップとを有するため、次のような効果がある。使用者は映像取り込み時刻（シャッタ時刻）に対して、最大で記録時間分だけさかのぼった時刻からの過去の音声情報を記録することや、シャッタ時刻前後の音声情報の記録が可能となる効果がある。そのことは、シャッタ時刻前の撮影の様子を音声情報で得ることによって、記録された映像がどういう状況の結果撮影されたかを知ることが可能となり、その映像の楽しみ方の拡大につながるという効果がある。
【手続補正６５】
【補正対象書類名】明細書
【補正対象項目名】０１２７
【補正方法】削除
【補正の内容】
【手続補正６６】
【補正対象書類名】明細書
【補正対象項目名】０１２８
【補正方法】削除
【補正の内容】
【手続補正６７】
【補正対象書類名】明細書
【補正対象項目名】０１２９
【補正方法】削除
【補正の内容】
【手続補正６８】
【補正対象書類名】明細書
【補正対象項目名】０１３０
【補正方法】削除
【補正の内容】
【手続補正６９】
【補正対象書類名】明細書
【補正対象項目名】０１３１
【補正方法】削除
【補正の内容】
【手続補正７０】
【補正対象書類名】明細書
【補正対象項目名】０１３２
【補正方法】削除
【補正の内容】
【手続補正７１】
【補正対象書類名】明細書
【補正対象項目名】０１３３
【補正方法】削除
【補正の内容】
【手続補正７２】
【補正対象書類名】明細書
【補正対象項目名】０１３４
【補正方法】削除
【補正の内容】
【手続補正７３】
【補正対象書類名】明細書
【補正対象項目名】０１３５
【補正方法】削除
【補正の内容】
【手続補正７４】
【補正対象書類名】明細書
【補正対象項目名】０１３６
【補正方法】削除
【補正の内容】
【手続補正７５】
【補正対象書類名】明細書
【補正対象項目名】０１３７
【補正方法】削除
【補正の内容】
【手続補正７６】
【補正対象書類名】明細書
【補正対象項目名】０１３８
【補正方法】削除
【補正の内容】
【手続補正７７】
【補正対象書類名】明細書
【補正対象項目名】０１３９
【補正方法】削除
【補正の内容】
【手続補正７８】
【補正対象書類名】明細書
【補正対象項目名】０１４０
【補正方法】削除
【補正の内容】
【手続補正７９】
【補正対象書類名】明細書
【補正対象項目名】０１４１
【補正方法】変更
【補正の内容】
【０１４１】
請求項１６記載の本発明の記憶媒体によれば、音声と映像を同時に記録可能な記録装置或いは記録再生装置に適用される音声情報記録方法を実行するプログラムを記憶したコンピュータにより読み出し可能な記憶媒体であって、前記音声情報記録方法は、入力された音声信号を音声記憶手段に記憶する音声記憶ステップと、記録時に前記音声記憶手段に記憶した音声信号を任意の時刻から読み出す制御ステップと、前記制御ステップによって前記音声記憶手段から読み出された音声信号及び入力された映像信号を記録媒体に記録する記録ステップとを有するため、次のような効果がある。使用者は映像取り込み時刻（シャッタ時刻）に対して、最大で記録時間分だけさかのぼった時刻からの過去の音声情報を記録することや、シャッタ時刻前後の音声情報の記録が可能となる効果がある。そのことは、シャッタ時刻前の撮影の様子を音声情報で得ることによって、記録された映像がどういう状況の結果撮影されたかを知ることが可能となり、その映像の楽しみ方の拡大につながるという効果がある。